(57)【要約】【課題】限定ライセンスの電子書籍ファイルを合法的に読み取れるか否かを電子書籍サプライヤーが確認できるようにする。【解決手段】電子書籍ライセンス認証方法は、合法的なライセンス付与識別コードとして、合法的にライセンス付与された各情報プラットフォームにおける特定ハードウェアパーツの装置識別コード（たとえば中央処理装置の製品番号）を予め取得するステップ（Ｓ１０，Ｓ２０）と、合法的にライセンス付与された情報プラットフォームだけに限定ライセンスの電子書籍ファイルを視聴可能にするために復号化するステップ（Ｓ３２）と、その他の情報プラットフォームに読み取れないようにするために復号化を禁止するステップ（Ｓ３１）とを含む。【選択図】　　　　図３
2004127263.tif 000002
【特許請求の範囲】
【請求項１】
任意の情報プラットフォームが提供された限定ライセンスの電子書籍を合法的に読み取れるか否かを電子書籍サプライヤーが確認できるようにする電子書籍ライセンス認証方法であって、少なくとも、
（１）　初期設定プロセスを行うことにより、前記情報プラットフォームにおける１つの特定ハードウェアパーツの装置識別コードを予め取得し、前記装置識別コードを合法ライセンス識別コードとして前記限定ライセンスの電子書籍ファイルにはめ込むステップと、
（２）　前記情報プラットフォームが前記限定ライセンスの電子書籍ファイルを読み取ろうとする場合、ハードウェア走査プロセスを行うことにより、前記情報プラットフォームにおける特定ハードウェアパーツの装置識別コードを取得するステップと、
（３）　識別コード照合プロセスを行うことにより、前記情報プラットフォームにおける特定ハードウェアパーツの装置識別コードが前記限定ライセンスを付与された電子書籍ファイルにはめ込まれた合法ライセンス識別コードに一致するか否かを照合し、
一致しない場合、復号化禁止のプロセスを行うことにより、前記情報プラットフォームが前記限定ライセンスを付与された電子書籍ファイルの復号化を行えないようにし、
一致する場合、前記限定ライセンスを付与された電子書籍ファイルの復号化のプロセスを行い、復号化された電子書籍ファイルデータを視聴可能に変換することにより、ユーザが前記情報プラットフォームを通して、前記電子書籍ファイルの内容を閲覧できるようにするステップと、
を備えることを特徴とする、電子書籍ライセンス認証方法。
【請求項２】
ステップ（１）に述べられた特定ハードウェアパーツの装置識別コードは、前記情報プラットフォームにおける中央処理装置の製品番号であることを特徴とする、請求項１に記載の電子書籍ライセンス認証方法。
【請求項３】
ステップ（２）に述べられた電子書籍ファイルは、ネットワークシステムによって、電子書籍データベースサーバーから前記情報プラットフォームにダウンロードされることを特徴とする、請求項１に記載の電子書籍ライセンス認証方法。
【請求項４】
ステップ（２）に述べられた電子書籍ファイルは、電子書籍保存装置から読み取られることを特徴とする、請求項１に記載の電子書籍ライセンス認証方法。
【請求項５】
前記電子書籍保存装置はチップカードであることを特徴とする、請求項４に記載の電子書籍ライセンス認証方法。
【請求項６】
前記電子書籍保存装置は光ディスクであることを特徴とする、請求項４に記載の電子書籍ライセンス認証方法。
【請求項７】
電子書籍データベースウェブサイトはリンクされた情報プラットフォームが提供された電子書籍ファイルを合法的にダウンロード及び読み取れるか否かを確認する、電子書籍ライセンス認証方法であって、少なくとも、
（１）　初期設定プロセスを行うことにより、前記情報プラットフォームにおける１つの特定ハードウェアパーツの装置識別コードを予め取得し、前記装置識別コードを合法的なライセンス識別コードとして前記リンクされた情報プラットフォームがクリックした電子書籍ファイルにはめ込み、前記電子書籍ファイルを前記情報プラットフォームにダウンロードするステップと、
（２）　前記情報プラットフォームが前記ダウンロードされた電子書籍ファイル読み取ろうとする場合、ハードウェア走査プロセスを行うことにより、前記情報プラットフォームにおける特定ハードウェアパーツの装置識別コードを取得するステップと、
（３）　識別コード照合プロセスを行うことにより、前記情報プラットフォームにおける特定ハードウェアパーツの装置識別コードが前記ダウンロードされた電子書籍ファイルにはめ込まれた合法的なライセンス識別コードに一致するか否かを照合し、
一致しない場合、復号化禁止のプロセスを行うことにより、前記情報プラットフォームが前記ダウンロードされた電子書籍ファイルの復号化を行えないようにし、
一致する場合、前記ダウンロードされた電子書籍ファイルの復号化のプロセスを行い、復号化された電子書籍ファイルデータを視聴可能に変換することにより、ユーザが前記情報プラットフォームによって、前記電子書籍ファイルの内容を閲覧できるようにするステップと、
を備えることを特徴とする、電子書籍ライセンス認証方法。
【請求項８】
ステップ（１）に記載の特定ハードウェアパーツの装置識別コードは、前記情報プラットフォームにおける中央処理装置の製品番号であることを特徴とする、請求項７に記載の電子書籍ライセンス認証方法。
【請求項９】
限定ライセンスの電子書籍保存装置に情報プラットフォームがその中の電子書籍ファイルを合法的に読み取れるか否かを確認させるようにする、電子書籍ライセンス認証方法であって、少なくとも、
（１）　初期設定プロセスを行うことにより、前記情報プラットフォームにおける１つの特定ハードウェアパーツの装置識別コードを予め取得し、前記装置識別コードを合法ライセンス識別コードとして前記限定ライセンスの電子書籍保存装置における電子書籍ファイルにはめ込むステップと、
（２）　前記情報プラットフォームが前記限定ライセンスを付与された電子書籍保存装置における電子書籍ファイルを読み取ろうとする場合、ハードウェア走査プロセスを行うことにより、前記情報プラットフォームにおける特定ハードウェアパーツの装置識別コードを取得するステップと、
（３）　識別コード照合プロセスを行うことにより、前記情報プラットフォームにおける特定ハードウェアパーツの装置識別コードが前記限定ライセンスを付与された電子書籍保存装置における電子書籍ファイルにはめ込まれた合法的なライセンス識別コードに一致するか否かを照合し、
一致しない場合、復号化禁止のプロセスを行うことにより、前記情報プラットフォームが電子書籍保存装置における電子書籍ファイルの復号化を行えないようにし、
一致する場合、前記限定ライセンスを付与された電子書籍保存装置における電子書籍ファイルを復号化するプロセスを行い、復号化された電子書籍ファイルデータを視聴可能に変換することにより、ユーザが前記情報プラットフォームによって、前記電子書籍ファイルの内容を閲覧できるようにするステップと、
を備えることを特徴とする、電子書籍ライセンス認証方法。
【請求項１０】
ステップ（１）に記載の特定ハードウェアパーツの装置識別コードは、前記情報プラットフォームにおける中央処理装置の製品番号であることを特徴とする、請求項９に記載の電子書籍ライセンス認証方法。
【請求項１１】
前記電子書籍保存装置はチップカードであることを特徴とする、請求項９に記載の電子書籍ライセンス認証方法。
【請求項１２】
前記電子書籍保存装置は光ディスクであることを特徴とする、請求項９に記載の電子書籍ライセンス認証方法。
【発明の詳細な説明】
【０００１】
【発明の属する技術分野】
本発明は情報技術に関するもので、特に電子書籍ライセンス認証方法に関するものであって、任意の情報プラットフォームが当該方法から提供された限定ライセンスの電子書籍（ｅｌｅｃｔｒｏｎｉｃ　ｂｏｏｋ、ｅ−ｂｏｏｋと略称する）を合法的に読み取れるか否かを電子書籍サプライヤーが確認できるすることを目的とする。
【０００２】
【従来の技術】
電子書籍ファイルはデジタル化された書籍データファイルであって、ユーザは情報プラットフォーム、例えばデスクトップパソコン、ノートパソコン、携帯情報端末（Ｐｅｒｓｏｎａｌ　Ｄｉｇｉｔａｌ　Ａｓｓｉｓｔａｎｔ、ＰＤＡ）、電子書籍リーダー等によって、文字、図形、動画、画像のデータを当該情報プラットフォームのディスプレイに表示させ、或は更に当該情報プラットフォームのオーディオ出力装置を通じて、関連するオーディオデータを再生することにより、電子書籍の内容をマルチメディア的に閲覧できるようにする。
【０００３】
ビジネス的には、電子書籍サプライヤーが電子書籍ファイルをユーザに提供する方法は、例えばネットワークダウンロード、電子書籍チップカード、光ディスク等を含む。
【０００４】
ネットワークダウンロードの方法を採用する場合、ユーザはその情報プラットフォームをネットワークシステム、例えばインターネット（Ｉｎｔｅｒｎｅｔ）によって、電子書籍サプライヤーが設置した電子書籍サイトにリンクすることにより、閲覧しようとする電子書籍ファイルを当該電子書籍データベースウェブサイトから選択しダウンロードすることが可能である。
【０００５】
チップカードたとえば電子書籍チップカードを採用する場合、ユーザは電子書籍チップカードをその情報プラットフォームにおける特定の拡張スロットに差し込むことにより、その情報プラットフォームが電子書籍チップカードに予め蓄積された電子書籍ファイルを直接読み取ることが可能になる。光ディスク、たとえば電子書籍光ディスクを採用する場合、ユーザは電子書籍光ディスクをその情報プラットフォームにおける光ディスクプレーヤーに置くことにより、その情報プラットフォームが電子書籍光ディスクに予め蓄積された電子書籍ファイルを直接読み取ることが可能になる。
【０００６】
しかし、電子書籍ファイルがデジタルコンピュータファイルである故、優れた複写性があり、いずれかのユーザが電子書籍チップカード又は電子書籍光ディスクを取得さえすれば、その他の多数のユーザも複写することでその電子書籍ファイルを共用でき、電子書籍サプライヤーの権益がこれによって損害を受けるようになる。
【０００７】
上述に鑑みて、電子書籍サプライヤーは電子書籍ライセンス認証方法によって、任意の情報プラットフォームが提供された限定ライセンスの電子書籍ファイルを合法的に読み取れるか否かを確認する必要がある。
【０００８】
【発明の開示】
本発明は、任意の情報プラットフォームが提供された限定ライセンスの電子書籍を合法的に読み取れるか否かを電子書籍サプライヤーが確認できるようにする電子書籍ライセンス認証方法を提供することを目的とする。
【０００９】
また、本発明は、電子書籍ファイルが合法的にライセンス給付された情報プラットフォームにだけ読み取られ、その他の合法的にライセンス付与されなかった情報プラットフォームに読み取られないようにする、電子書籍ライセンス認証方法を提供することを目的とする。
【００１０】
本発明に係る電子書籍ライセンス認証方法は、電子書籍サプライヤーは任意の情報プラットフォームが提供された限定ライセンスの電子書籍ファイルを合法的に読み取れるか否かを確認できるようにしており、ファイルは電子書籍データベースウェブサイトサーボの電子書籍ファイルと電子書籍保存装置（例えば電子書籍チップカードまたは電子書籍光ディスク）に蓄積された電子書籍ファイルを含む。
【００１１】
本発明に係る電子書籍ライセンス認証方法は、合法的なライセンス付与識別コードとして、合法的にライセンス付与された各情報プラットフォームにおける特定ハードウェアパーツの装置識別コード、例えば中央処理装置の製品ナンバーを予め取得し、合法的にライセンス付与された情報プラットフォームだけが限定ライセンスの電子書籍ファイルの内容を読み取れ、その他の情報プラットフォームが読み取れないようにすることを特徴とする。
【００１２】
【発明の実施の形態】
本発明に係る実施例を添付の図面に沿いながら、以下のように詳しく説明する。
【００１３】
図１は各種の情報プラットフォーム　１００、例えばデスクトップパソコン、ノートブックパソコン、携帯情報端末（Ｐｅｒｓｏｎａｌ　Ｄｉｇｉｔａｌ　Ａｓｓｉｓｔａｎｔ、ＰＤＡ）、電子書籍リーダー等が異なるソースからの電子書籍ファイルをいかに読み取れるかを示すイメージ図である。それらの電子書籍ファイルは、インターネット１０によって電子書籍データベースウェブサイト３０からダウンロードされた電子書籍ファイル１１、各式電子書籍保存装置２０（即ちチップカード又は光ディスク）に予め蓄積された電子書籍ファイル２１等を含む。
【００１４】
図２は本発明に係る電子書籍ライセンス認証方法を使用する情報プラットフォーム　１００の構成を示す。図２に示すように、本発明を使用する情報プラットフォーム　１００には、少なくとも中央処理装置１１０、電子書籍データ受信インタフェース１２０、スクリーンユニット１３０、オーディオ出力ユニット１４０が含まれる。
【００１５】
ユーザがネットワークダウンロードの方法を採用する場合、ユーザが当該情報プラットフォーム　１００をネットワークシステム、例えばインターネット１０によって、電子書籍サプライヤーによって設置された電子書籍データベースウェブサイト３０にリンクすることにより、閲覧したい電子書籍ファイル１１を当該電子書籍データベースウェブサイト３０から選択しダウンロードする。
【００１６】
ユーザが電子書籍保存装置２０（たとえば、チップカード又は光ディスク）を採用する場合、ユーザが電子書籍保存装置２０を当該情報プラットフォーム　１００（たとえば電子書籍チップカードを当該情報プラットフォーム　１００における特定の拡張スロットに差し込み、或いは光ディスクを当該情報プラットフォーム　１００における光ディスクプレーヤーに置く）にカップリングさせることにより、当該情報プラットフォーム　１００が電子書籍チップカード４０又は光ディスク５０に予め蓄積された電子書籍ファイル２１を直接読み取れるようにしている。
【００１７】
限定ライセンスのため、上記の電子書籍ファイル１１，２１はいずれも暗号化されたコンピュータファイルであり、本発明に係る電子書籍ライセンス認証方法は、任意の情報プラットフォーム１００、例えばデスクトップパソコン、ノートブックパソコン、携帯情報端末（Ｐｅｒｓｏｎａｌ　Ｄｉｇｉｔａｌ　Ａｓｓｉｓｔａｎｔ）、電子書籍リーダー等が提供された限定ライセンスの電子書籍ファイル１１，２１を合法的に読み取れるか否かを確認することができる。
【００１８】
本発明に係る電子書籍ライセンス認証方法は、合法的にライセンス付与された各情報プラットフォーム　１００における１つの特定のハードウェアパーツの装置識別コード１１１、例えば中央処理装置１１０の製品番号（ＣＰＵ　ＩＤ）を合法的なライセンス付与識別コードとして予め取得し、当該特定ハードウェアのパーツの装置識別コードを限定ライセンスの各電子書籍ファイル１１，２１にはめ込むことを特徴とする。
【００１９】
但し、その他の実施例において、上記の特定のハードウェアパーツの装置識別コード（１１１）は情報プラットフォーム　１００におけるその他のハードウェアパーツの製品番号、例えばスクリーンユニット１３０の製品番号、オーディオ出力ユニット１４０の製品番号、光ディスクプレーヤー（図示せず）の製品番号、電子書籍チップカードリーダー（図示せず）の製品番号等であっても良い。
【００２０】
図３のフローチャートは本発明に係る電子書籍ライセンス認証方法の処理プロセスを示す。
【００２１】
図３と図２を参照しながら説明する。先ずは、ステップＳ１０の初期設定プロセスであり、電子書籍サプライヤーが合法的にライセンス付与された各情報プラットフォーム　１００における１つの特定ハードウェアパーツの装置識別コード（１１１）、例えば合法的にライセンス付与された各情報プラットフォーム　１００における中央処理装置の製品番号を予め取得し、当該装置識別コードを限定ライセンスを付与された各電子書籍ファイルにはめ込めるようにする。
【００２２】
ネットワークダウンロード方法を採用する場合、電子書籍サプライヤーは例えば上記の合法的にライセンス付与された識別コードを電子書籍データベースウェブサイト３０に登録することにより、リンクされている情報プラットフォーム　１００が合法的にライセンス付与されたユーザであるか否かを先ず判定し、はいと判定した場合（そのようなユーザである場合）、リンクされている情報プラットフォーム　１００の合法的なライセンス識別コードをユーザがクリックして選択した電子書籍ファイル１１にはめ込み、当該電子書籍ファイル１１を暗号化によってインターネット１０を通じてリンクされている情報プラットフォーム　１００にダウンロードすることができる。
【００２３】
電子書籍保存装置２０を採用する場合、上記の合法的なライセンス付与識別コードを各電子書籍保存装置２０が提供する限定ライセンスの電子書籍ファイル２１に直接はめ込むことができる。
【００２４】
次に、ステップＳ２０のハードウェア走査プロセスを行う。情報プラットフォーム　１００が限定ライセンスの電子書籍ファイル１１，２１を読み取ろうとする場合、当該情報プラットフォーム　１００におけるハード装置を先ず走査することにより、当該情報プラットフォーム　１００における特定のハードパーツの装置識別コード１１１を取得するようにできる（この実施例においては中央処理装置１１０の製品番号）。
【００２５】
次に、ステップＳ３０の識別コード照合プロセスを行う。当該情報プラットフォーム　１００における特定ハードパーツの装置識別コード１１１が読み取ろうとする電子書籍ファイル１１，２１にはめ込まれた合法のライセンス識別コードに一致するか否かを判断する。いいえである（一致しないと判断した）場合、処理はステップＳ３１に移され、はいである（一致すると判断した）場合、処理はステップＳ３２に移される。
【００２６】
ステップＳ３１において、復号化禁止のプロセスを行う。情報プラットフォーム　１００は電子書籍ファイル１１，２１の復号化を行えないように、即ち情報プラットフォーム　１００が電子書籍ファイル１１，２１の内容を読み取れないようにする。
【００２７】
ステップＳ３２において、情報プラットフォーム　１００が電子書籍ファイル１１，２１の復号化のプロセスを行い、復号化された電子書籍ファイルデータを視聴可能に変換する。即ち、電子書籍ファイル１１，２１の文字、図形、動画、及び画像データ等を当該情報プラットフォーム　１００におけるスクリーンユニット１３０に表示させ、関連するオーディオデータをオーディオ出力ユニット１４０によって再生させることにより、ユーザがマルチメディア的に電子書籍の内容を閲覧できるようにする。
【００２８】
総合的にいえば、本発明は、任意の情報プラットフォームが提供された限定ライセンスの電子書籍を合法的に読み取れるか否かを電子書籍サプライヤーが確認できるようにする新しい電子書籍ライセンス認証方法を提供しており、適法ライセンス付与識別コードとして、合法的にライセンス付与された各情報プラットフォームにおける特定ハードウェアパーツの装置識別コード、例えば中央処理装置の製品番号を予め取得し、合法的にライセンス付与された情報プラットフォームだけが限定ライセンスの電子書籍ファイルの内容を読み取り、その他の情報プラットフォームに読み取られないようにすることを特徴とする。
【００２９】
これらの実施例は本発明を例示する目的で示すものであり、本発明は、これらによって何ら限定されるものではない。本発明に係る実質的な技術内容は、広汎に下記の特許請求の範囲内に定義される。他人に完成された如何なる技術や方法は、下記の特許請求の範囲に定義されたものとまったく同然であり、または同等の効果となる変更であれば、この特許請求の範囲に含まれるものとする。
【図面の簡単な説明】
本発明に係る上記とその他の目的、特徴、及び利点を更に分かりやすくするために、本発明に係る好ましい実施例を添付の図面に詳しく説明する。添付の図面の内容は、以下のように簡単に説明する。
【図１】各種の情報プラットフォームが異なるソースから電子書籍ファイルをいかに読み取れるかを示すイメージ図である。
【図２】本発明に係る電子書籍ライセンス認証方法を適用する情報プラットフォームの内部構成を示す。
【図３】フローチャートであり、本発明に係る電子書籍ライセンス認証方法の処理プロセスを示す。
【符号の説明】
１０　インターネット
１１　ネットワークダウンロードの電子書籍ファイル
２０　電子書籍保存装置（チップカード又は光ディスク）
２１　電子書籍ファイル
３０　電子書籍データベースウェブサイト
１００　情報プラットフォーム
１１０　中央処理装置
１１１　特定ハードウェアパーツの装置識別コード
１２０　電子書籍データ受信インタフェース
１３０　スクリーンユニット
１４０　オーディオ出力ユニット
【図１】
2004127263.tif 000003
【図２】
2004127263.tif 000004
【図３】
2004127263.tif 000005